(57)【特許請求の範囲】
【請求項１】
噴霧口を有するハンディミストのケース本体に対しスライドして前記噴霧口を覆う状態と露出する状態を作り出すカバーのスライド式開閉装置であって、前記ケース本体の前記噴霧口の側に取り付けられたベース部材と、このベース部材に対し対向した状態で前記カバーに取り付けられたスライド部材とを有し、前記ベース部材は前記スライド部材のスライド方向に第１ガイド溝を設けると共に、その一側部側に湾曲凸片を有するものとし、前記ケース本体側には前記ベース部材を受け入れる収容凹部と前記カバーの下面側に設けた一対の第２ガイドリブと係合する一対の第１ガイドリブを設けると共に、前記スライド部材にはその中央部に前記第１ガイド溝と重なり合う第２ガイド溝を設け、前記ベース部材に取り付けたムーブピンを前記ベース部材の前記第１ガイド溝に挿通係合させて当該第１ガイド溝内をスライド可能となるように成し、前記ベース部材に取り付けたガイドピンを前記第２ガイド溝に挿通係合させて当該第２ガイド溝内をスライド可能となるように設け、前記ムーブピンと前記ベース部材に取り付けた連結ピンとの間に前記湾曲凸片上に載置させて偏平スプリングを弾設することにより、前記カバーを前記噴霧口に対して、これを露出する方向と覆う方向のいずれの方向にスライドさせても、所定のスライド位置から自動的にスライドするように成したことを特徴とする、スライド式開閉装置。
【発明の詳細な説明】
【技術分野】
【０００１】
本発明は、例えばハンディミストと称される商品のような小型携帯機器の第１の部材とこの第１の部材に対してスライド可能に取り付けられるカバーや筐体との間に用いて好適なスライド式開閉装置に関する。
【背景技術】
【０００２】
近年、とくに女性が肌の乾燥を防ぐために、顔面に化粧水をミスト状にして噴射させるハンディミストと称される商品が多数出回っている。このようなハンディミストにおいては、第１の部材に対してカバーをスライドさせて開き、第１の部材に設けた噴霧口より化粧水をミスト状にして噴霧させ、噴霧させた後はカバーを再びスライドさせて噴霧口を覆うように構成した小型で構造簡単で安価に製造でき、しかも、カバーがセミオートで開閉されるような構造のスライド式開閉装置が求められている。
【０００３】
従来、小型のスライド式開閉装置は、携帯電話機に広く用いられているが、このスライド式開閉装置でセミオートのものをさらに部品点数を少なくし、かつ小型かつ構造簡単にしたものは見当たらない。
【発明の概要】
【発明が解決しようとする課題】
【０００４】
本発明は、上記要望に添って開発されたもので、その目的は、部品点数が少なく、小型かつ構造簡単で、しかも幅が小さく、かつセミオートの機能も合わせ持ったスライド式開閉装置を提供せんとするにある。
【課題を解決するための手段】
【０００５】
上記課題を達成するために本願発明は、噴霧口を有するハンディミストのケース本体に対しスライドして前記噴霧口を覆う状態と露出する状態を作り出すカバーのスライド式開閉装置であって、前記ケース本体の前記噴霧口の側に取り付けられたベース部材と、このベース部材に対し対向した状態で前記カバーに取り付けられたスライド部材とを有し、前記ベース部材は前記スライド部材のスライド方向に第１ガイド溝を設けると共に、その一側部側に湾曲凸片を有するものとし、前記ケース本体側には前記ベース部材を受け入れる収容凹部と前記カバーの下面側に設けた一対の第２ガイドリブと係合する一対の第１ガイドリブを設けると共に、前記スライド部材にはその中央部に前記第１ガイド溝と重なり合う第２ガイド溝を設け、前記ベース部材に取り付けたムーブピンを前記ベース部材の前記第１ガイド溝に挿通係合させて当該第１ガイド溝内をスライド可能となるように成し、前記ベース部材に取り付けたガイドピンを前記第２ガイド溝に挿通係合させて当該第２ガイド溝内をスライド可能となるように設け、前記ムーブピンと前記ベース部材に取り付けた連結ピンとの間に前記湾曲凸片上に載置させて偏平スプリングを弾設することにより、前記カバーを前記噴霧口に対して、これを露出する方向と覆う方向のいずれの方向にスライドさせても、所定のスライド位置から自動的にスライドするように成したことを特徴とする。
【発明の効果】
【０００９】
本発明は以上のように構成したので、第１の部材に対して第２の部材を直線方向へスライドさせることにより、第１の部材側へ取り付けたベース部材に対して、第２の部材の側へ取り付けたスライド部材が直線方向へスライドすることになり、第１の部材の上面を覆う閉成状態と、第１の部材の上面を露出させる開成状態を現出させることができ、その際に弾性手段により、第２の部材の第１の部材に対する所定の開閉位置から、第２の部材をを開成方向及び閉成方向に自動的にスライドさせて、セミオートで第２の部材の第１の部材に対する開閉操作を行うことができるものである。
【００１０】
その際に、第１の部材上に一対の第１ガイドリブを設け、第２の部材の側に第１ガイドリブと係合する同じく一対の第２ガイドリブ或はガイド溝を設けると、前記第２の部材のスライド操作が左右に揺動することなくことなく安定するものである。
【００１１】
さらに、本発明に係るスライド式開閉装置は、これを用いた携帯機器やハンディミストなどのデザイン上の向上を図り、かつ、開閉時の操作性の向上を図ることができる。
【図面の簡単な説明】
【００１２】
【図１】本発明に係るスライド式開閉装置を実施したハンディミストの斜視図である。
【図２】本発明に係るスライド式開閉装置を実施したハンディミストを一方の方向から見た分解斜視図である。
【図３】本発明に係るスライド式開閉装置を実施したハンディミストを他の方向から見た一部分解斜視図である。
【図４】本発明に係るスライド式開閉装置の動作を説明するもので、動作前の平面図である。
【図５】本発明に係るスライド式開閉装置の動作を説明するもので、動作終了時の平面図である。
【図６】本発明に係るスライド式開閉装置を図５のＡ−Ａ線の方向から見た拡大断面図である。
【図７】本発明に係るスライド式開閉装置のガイドピンの正面図である。
【図８】本発明に係るスライド式開閉装置の扁平スプリングの一端部側を連結するム―ブピンの正面図である。
【図９】本発明に係るスライド式開閉装置の扁平スプリングの他端部側を連結する連結ピンの正面図である。
【発明を実施するための形態】
【００１３】
以下に本発明に係るスライド式開閉装置をハンディミストに用いた場合について説明する。しかしながら、本発明に係るスライド式開閉装置は、ハンディミスト以外のこのハンディミストと同じような構造を持つ口内殺菌、口臭消し、手指の殺菌を行なう小型携帯機器、その他のものにそのまま用いることができる。また、本明細書では、ケース本体を第１の部材とし、カバーを第２の部材として、それぞれケース本体或はカバーとして説明するが、第１の部材と第２の部材は、小型携帯機器の種類によっては、第１の筐体或は第２の筐体となる場合がある。
【実施例１】
【００１４】
図面によれば図１〜図９において、本発明に係るスライド式開閉装置１は、ハンディミストＡの第１の部材を構成するケース本体２と、このケース本体２に対してスライド可能に取り付けられた第２の部材を構成するカバー３と、ケース本体２の上面２ａへ取り付けられたベース部材４と、このベース部材４とスライド可能に係合しカバー３の下面側へ取り付けられたスライド部材５と、このスライド部材５とベース部材４との間に弾設された弾性手段８とで構成されている。スライド部材５の中央部長手方向には、ベース部材４に取り付けたガイドピン６を貫通させてガイドする第２ガイド溝５ａが設けられ、ベース部材４の同じく中央部の長手方向には、スライド部材５に取り付けたムーブピン７を貫通させてガイドする第１ガイド溝４ａが設けられている。つまり、スライド部材５は、ガイドピン６とムーブピン７とでベース部材４に対して長手方向へスライド可能にベース部材４へ取り付けられている。したがって、ガイドピン６は定位置を保っているが、ムーブピン７はスライド部材５と共にベース部材４に対してスライドする。そして、弾性手段を構成する偏平スプリング８は、その一端部をスライド部材５側に取り付けたムーブピン７に取り付けられ、他端部をベース部材４に取り付けた連結ピン９に連結させている。
【００１５】
ケース本体２の側には、その上面２ａ側の一端部に例えば噴霧口２ｂが設けられ、ケース本体２に設けられた図示してないスイッチを操作することにより、当該ケース本体２内に装備された同じく図示してない噴霧装置から、例えば化粧水をミスト状にして顔面に向けて噴霧するものである。
【００１６】
ケース本体２の上面２ａには、さらにベース部材４を収容して取り付けるためのベース部材４の形状に合わせた湾曲部２ｄを有する収容凹部２ｃが設けられ、中央部の深い部分２ｅは、弾性手段を構成する偏平スプリング８を収容させ、その旋回を許容させるためのものである。
【００１７】
収容凹部２ｃの両端部の部分は浅くなっており、ベース部材４の両端部を収容させる第１棚状部２ｆと第２棚状部２ｇが設けられ、第１棚状部２ｆと第２棚状部２ｇには、ベース部材４の取付孔２ｈが設けられている。さらに、噴霧口２ｂを設けた上面２ａでその対向位置に一対の第１ガイドリブ２ｉ、２ｉが設けられている。さらに、とくに図３に示したように、ケース本体２の下面側には、ベース部材４を取り付ける図示してない取付ビス用の挿通孔２ｊが複数設けられている。後述するが、ベース部材４はケース本体２の上面側から、図示してない取付ビスで固着させてもよい。
【００１８】
カバー３は、その上面に指掛凹部３ａが設けられると共に、とくに図３に示したように、その下面には第１ガイドリブ２ｉ、２ｉと係合する一対の第２ガイドリブ３ｂ、３ｂと、スライド部材５の取付用の複数のボス部３ｃが設けられている。尚、このボス部３ｃは、図示してない取付ビス用の取付孔としてもよい。また、第２ガイドリブ３ｂ、３ｂは、ガイド溝とすることも可能である。
【００１９】
ベース部材４は、その中央部長手方向に第１ガイド溝４ａが設けられると共に、その両端部側にはそれ自身をケース本体２へ取り付ける複数の取付孔４ｂと、ガイドピン６のガイドピン取付孔４ｃが設けられている。その略中央部の一側部には偏平スプリング８の飛び出しを押える湾曲凸片４ｄが設けられ、この湾曲凸片４ｄには連結ピン９の取付孔４ｅが設けられている。尚、このベース部材４をケース本体２へ取り付ける取付ビスの図示は省略してある。
【００２０】
スライド部材５には、その中央部長手方向に第２ガイド溝５ａが設けられると共に、その両側部にはそれ自身をカバー３へ取り付けるための複数の取付孔５ｂが設けられている。そして、その一端部側には、ムーブピン７を取り付けるムーブピン取付孔５ｃが設けられている。さらに、このスライド部材５の両側には強度向上のために折曲部５ｄ、５ｄが設けられている。
【００２１】
とくに図７に示したように、ガイドピン６は、フランジ部６ａと首部６ｂと取付部６ｃとを有しており、ワッシャー１０を介して、ベース部材４のガイドピン取付孔４ｃへ取付部６ｃをかしめることによって取り付けられている。とくに図８に示したように、ムーブピン７は、頭部７ａ、フランジ部７ｂ、首部７ｃ、及び取付部７ｄを有しており、ワッシャー１１を介して、スライド部材５のムーブピン取付孔５ｃへ取付部７ｄをかしめることによって取り付けられている。とくに図９に示したように、連結ピン９は、頭部９ａ、フランジ部９ｂ、及び取付部９ｃを有しており、ベース部材４の取付孔４ｅへ取付部９ｄをかしめることによって取り付けられている。
【００２２】
その他、とくに図２において、指示記号１０で示したものは、上記したように、ガイドピン６用のワッシャーであり、指示記号１１で示したものは、上記したように、ムーブピン７用のワッシャーである。このワッシャー１０は、ガイドピン６のフランジ部６ａとの間でスライド部材５を緩く挟んで、当該スライド部材５のベース部材４に対するスライド動作をスムーズなものにするために用いられており、ワッシャー１１の方は、ムーブピン７のフランジ部７ｂとの間でベース部材４を緩く挟んで、当該スライド部材５のベース部材４に対するスライド動作がスムーズに行くようにするために用いられている。尚、スライド式開閉装置１のハンドミストＡへの取付方法であるが、ベース部材４とスライド部材５の取り付け先は、実施例のものと異なり、ベース部材４をカバー３の方へ取り付け、スライド部材５をケース本体２の方へ取り付けてもよい。また、実施例でのスライド式開閉装置１のハンドミストＡへの取り付け方は、ベース部材４の方を先にケース本体２へ固着し、或は図示してない取付ビスで上面側から取り付け、その後でスライド部材５をカバー３の裏側へボス部３ｃを用いて固着するか、或は当該カバー３の上面から図示してない取付ビスを通して取り付けるようにしても良く、その取り付け方法及び取付順序に限定はない。
【００２３】
したがって、ハンディミストＡのカバー３を閉じた状態においては、図４に示したように、ベース部材４に対してスライド部材５は伸長した状態にあって、ガイドピン６はスライド部材５の第２ガイド溝５ａの下端部側の始端部に位置し、ムーブピン７は第１ガイド溝４ａの上端部側の始端部に位置している。そして、このカバー３のケース本体２に対する閉成状態において、該カバー３はケース本体２の噴霧口２ｂの上部を覆い、さらにカバー３は偏平スプリング８の弾力によって押されて閉成状態を保っている。
【００２４】
次に、ハンディミストＡを使用すべく、カバー３の指掛凹部３ａに指を当て、下方のスライドさせる方向へ力を加えると、カバー３は最初は偏平スプリング８の弾力の抵抗に遭遇するが、この抵抗に抗してスライドさせると、ガイドピン６が第２ガイド溝５ａ内をガイドされ、ムーブピン７が第１ガイド溝４ａ内をガイドされることによって開かれ、この開成方向に向けてのスライド中に偏平スプリング８が旋回してムーブピン７が連結ピン９の位置を越えると、偏平スプリング８の作用方向が変わり、ムーブピン７を介してカバー３を開成方向へ付勢するので、カバー３は自動的にムーブピン７或はガイドピン６が、それぞれの第１ガイド溝４ａと第２ガイド溝５ａの終端部に到達するまでスライドして停止する。このようにカバー３は開成方向へ向けての所定のスライド位置から自動的に開かれることになる。そうすると噴霧口２ｂが露出するので、図示してないスイッチを操作して噴霧口２ｂより化粧水のミスト化させたものを顔面に噴出させ、乾燥した肌に湿度と潤いを与えることができるものである。
【００２５】
ハンディミストＡを使用し終わったら、再びカバー３の指掛凹部３ａに指をかけて閉成方向へ押すと、最初は偏平スプリング８の弾力の抵抗に遭遇するが、この抵抗に抗して押すと、所定のスライド位置に達し、旋回した偏平スプリング８の作用方向が逆転し、手を離してもカバー３は偏平スプリング８に押されてガイドピン６或はムーブピン７が第２ガイド溝５ａ或は第１ガイド溝４ａの始端部に到達するまでスライドして閉じられ、カバー３はケース本体２の上面を覆って噴霧口２ｂを塞ぐことになる。尚、偏平スプリング８はこれをスネークスプリングに代えることは可能である。
【００２６】
このようにして、本発明に係るスライド式開閉装置は、部品点数が少なく、幅の狭い簡単な構成でケース本体２に対してカバー３をセミオートでスライドさせて開閉させることができるものである。
【産業上の利用可能性】
【００２７】
上記したように、本実施例では本発明をハンディミストと称される商品に使用した場合について説明したが、本発明に係るスライド式開閉装置は、ハンディミスト及びハンディミスト以外の手指や口腔内を消毒したり、或は口臭を消したりする際に用いる、実施例に示したハンディミストと同じような構成のケース本体に相当する第１の部材或は第１の筐体とスライド式のカバーに相当する第２の部材或は第２の筐体から成る携帯衛生機器、その他のとくに幅の狭い小型携帯機器のスライド式開閉装置として好適に用いられるものである。
【符号の説明】
【００２８】
Ａ  ハンディミスト
１  スライド式開閉装置
２  ケース本体
２ａ  上面
２ｉ  第１ガイドリブ
３  カバー
３ｂ  第２ガイドリブ
４  ベース部材
４ａ  第１ガイド溝
５  スライド部材
５ａ  第２ガイド溝
６  ガイドピン
７  ムーブピン
８  偏平スプリング（弾性手段）
【図１】
0006053271.tif 000002
【図２】
0006053271.tif 000003
【図３】
0006053271.tif 000004
【図４】
0006053271.tif 000005
【図５】
0006053271.tif 000006
【図６】
0006053271.tif 000007
【図７】
0006053271.tif 000008
【図８】
0006053271.tif 000009
【図９】
0006053271.tif 000010